(57)【特許請求の範囲】
【請求項１】
便蓋及び便座と、
該便蓋を開閉駆動する回動装置と、
該便座への着座の有無を検知する着座検知手段と、
便器に洗浄水を供給する洗浄装置と、
該洗浄装置の作動を開始させる洗浄スイッチと、
前記回動装置及び該洗浄装置を制御する制御手段と
を有する便器設備において、
該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器にサイホン洗浄の破封音が発生するよりも前に便蓋が全閉状態となるように前記回動装置を動作させることを特徴とするトイレ装置。
【請求項２】
便蓋及び便座と、
該便蓋を開閉駆動する回動装置と、
該便座への着座の有無を検知する着座検知手段と、
便器に洗浄水を供給する洗浄装置と、
該洗浄装置の作動を開始させる洗浄スイッチと、
前記回動装置及び該洗浄装置を制御する制御手段と
を有する便器設備において、
該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器でジェット洗浄工程が開始するよりも前に便蓋が全閉状態となるように前記回動装置を動作させることを特徴とするトイレ装置。
【請求項３】
便蓋及び便座と、
該便蓋を開閉駆動する回動装置と、
該便座への着座の有無を検知する着座検知手段と、
便器に洗浄水を供給する洗浄装置と、
該洗浄装置の作動を開始させる洗浄スイッチと、
前記回動装置及び該洗浄装置を制御する制御手段と
を有する便器設備において、
該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、
該所定時間は２〜４秒の間から選択された時間であることを特徴とするトイレ装置。
【請求項４】
便蓋及び便座と、
該便蓋を開閉駆動する回動装置と、
便座への着座の有無を検知する着座検知手段と、
便器に洗浄水を供給する洗浄装置と、
前記回動装置及び該洗浄装置を制御する制御手段と
を有する便器設備において、
該制御手段は、前記着座検知手段の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器にサイホン洗浄の破封音が発生するよりも前に便蓋が全閉状態となるように前記回動装置を動作させることを特徴とするトイレ装置。
【請求項５】
便蓋及び便座と、
該便蓋を開閉駆動する回動装置と、
便座への着座の有無を検知する着座検知手段と、
便器に洗浄水を供給する洗浄装置と、
前記回動装置及び該洗浄装置を制御する制御手段と
を有する便器設備において、
該制御手段は、前記着座検知手段の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器でジェット洗浄工程が開始するよりも前に便蓋が全閉状態となるように前記回動装置を動作させることを特徴とするトイレ装置。
【請求項６】
便蓋及び便座と、
該便蓋を開閉駆動する回動装置と、
便座への着座の有無を検知する着座検知手段と、
便器に洗浄水を供給する洗浄装置と、
前記回動装置及び該洗浄装置を制御する制御手段と
を有する便器設備において、
該制御手段は、前記着座検知手段の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該所定時間は２〜４秒の間から選択された時間であることを特徴とするトイレ装置。
【請求項７】
便蓋及び便座と、
該便蓋を開閉駆動する回動装置と、
便器前方の人体の有無を検知する人体検知手段と、
便座への着座の有無を検知する着座検知手段と、
便器に洗浄水を供給する洗浄装置と、
前記回動装置及び該洗浄装置を制御する制御手段と
を有する便器設備において、
該制御手段は、前記人体検知手段及び着座検知手段の少なくとも一方の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器にサイホン洗浄の破封音が発生するよりも前に便蓋が全閉状態となるように前記回動装置を動作させることを特徴とするトイレ装置。
【請求項８】
便蓋及び便座と、
該便蓋を開閉駆動する回動装置と、
便器前方の人体の有無を検知する人体検知手段と、
便座への着座の有無を検知する着座検知手段と、
便器に洗浄水を供給する洗浄装置と、
前記回動装置及び該洗浄装置を制御する制御手段と
を有する便器設備において、
該制御手段は、前記人体検知手段及び着座検知手段の少なくとも一方の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該制御手段は、覆蓋洗浄モードにあっては、前記便器でジェット洗浄工程が開始するよりも前に便蓋が全閉状態となるように前記回動装置を動作させることを特徴とするトイレ装置。
【請求項９】
便蓋及び便座と、
該便蓋を開閉駆動する回動装置と、
便器前方の人体の有無を検知する人体検知手段と、
便座への着座の有無を検知する着座検知手段と、
便器に洗浄水を供給する洗浄装置と、
前記回動装置及び該洗浄装置を制御する制御手段と
を有する便器設備において、
該制御手段は、前記人体検知手段及び着座検知手段の少なくとも一方の検知結果に基づいて自動的に前記洗浄装置を作動させて便器に洗浄水を供給するように構成されており、
該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、
該所定時間は２〜４秒の間から選択された時間であることを特徴とするトイレ装置。
【請求項１０】
請求項１ないし９のいずれか１項において、前記制御手段における前記覆蓋洗浄モードと、便蓋状態に関わらずに洗浄を実行する通常洗浄モードとの設定を切り替える切替手段を備えたことを特徴とするトイレ装置。
【発明の詳細な説明】
【技術分野】
【０００１】
本発明は、便器洗浄時に便蓋を閉めることにより、周囲に伝わる洗浄音を小さくするよう構成したトイレ装置の改良に関するものである。
【背景技術】
【０００２】
便器に洗浄水を供給して便器洗浄を行うときに便蓋が開いていると、周囲に比較的大きな洗浄音が伝わることになる。
【０００３】
特開平７−１５８１４２及び特開２００７−１４６５０９には、便蓋を閉めてから便器洗浄を開始させるよう構成した便器洗浄装置が記載されている。
【特許文献１】特開平７−１５８１４２
【特許文献２】特開２００７−１４６５０９
【発明の開示】
【発明が解決しようとする課題】
【０００４】
上記特許文献１，２のように便蓋を閉めてから洗浄を開始する場合、便器の便鉢内で実際に洗浄が開始したか、あるいは、便鉢内に洗浄水が規定量供給されているかなどを目視観察することができない。そのため、使用者は、洗浄が開始していることを確実に確認することができず、トイレルームから退出するときに不安感を抱くことになる。
【０００５】
本発明は、上記従来の問題点を解決し、洗浄が開始してから便蓋が閉まり始めるようにし、これにより、洗浄開始時の便鉢内の様子を目視観察することができるトイレ装置を提供することを目的とする。
【課題を解決するための手段】
【０００６】
請求項１のトイレ装置は、便蓋及び便座と、該便蓋を開閉駆動する回動装置と、該便座への着座の有無を検知する着座検知手段と、便器に洗浄水を供給する洗浄装置と、該洗浄装置の作動を開始させる洗浄スイッチと、前記回動装置及び該洗浄装置を制御する制御手段とを有する便器設備において、該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器にサイホン洗浄の破封音が発生するよりも前に便蓋が全閉状態となるように前記回動装置を動作させることを特徴とするものである。
【０００７】
請求項２のトイレ装置は、便蓋及び便座と、該便蓋を開閉駆動する回動装置と、該便座への着座の有無を検知する着座検知手段と、便器に洗浄水を供給する洗浄装置と、該洗浄装置の作動を開始させる洗浄スイッチと、前記回動装置及び該洗浄装置を制御する制御手段とを有する便器設備において、該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器でジェット洗浄工程が開始するよりも前に便蓋が全閉状態となるように前記回動装置を動作させることを特徴とするものである。
【０００８】
請求項３のトイレ装置は、便蓋及び便座と、該便蓋を開閉駆動する回動装置と、該便座への着座の有無を検知する着座検知手段と、便器に洗浄水を供給する洗浄装置と、該洗浄装置の作動を開始させる洗浄スイッチと、前記回動装置及び該洗浄装置を制御する制御手段とを有する便器設備において、該制御手段は、該洗浄スイッチが操作された場合、前記着座検知手段が着座不検知であり且つ便蓋が開であるときには、洗浄水の供給開始後所定時間が経過してから便蓋閉回動が開始するように前記回動装置を動作させる覆蓋洗浄モードを実行可能であり、該所定時間は２〜４秒の間から選択された時間であることを特徴とするものである。
【０００９】
請求項４のトイレ装置は、便蓋及び便座と、該便蓋を開閉駆動する回動装置と、便座への着座の有無を検知する着座検知手段と、便器に洗浄水を供給する洗浄装置と、前記回動装置及び該洗浄装置を制御する制御手段とを有する便器設備において、該制御手段は、前記着座検知手段の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器にサイホン洗浄の破封音が発生するよりも前に便蓋が全閉状態となるように前記回動装置を動作させることを特徴とするものである。
【００１０】
請求項５のトイレ装置は、便蓋及び便座と、該便蓋を開閉駆動する回動装置と、便座への着座の有無を検知する着座検知手段と、便器に洗浄水を供給する洗浄装置と、前記回動装置及び該洗浄装置を制御する制御手段とを有する便器設備において、該制御手段は、前記着座検知手段の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器でジェット洗浄工程が開始するよりも前に便蓋が全閉状態となるように前記回動装置を動作させることを特徴とするものである。
【００１１】
請求項６のトイレ装置は、便蓋及び便座と、該便蓋を開閉駆動する回動装置と、便座への着座の有無を検知する着座検知手段と、便器に洗浄水を供給する洗浄装置と、前記回動装置及び該洗浄装置を制御する制御手段とを有する便器設備において、該制御手段は、前記着座検知手段の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該所定時間は２〜４秒の間から選択された時間であることを特徴とするものである。
【００１２】
請求項７のトイレ装置は、便蓋及び便座と、該便蓋を開閉駆動する回動装置と、便器前方の人体の有無を検知する人体検知手段と、便座への着座の有無を検知する着座検知手段と、便器に洗浄水を供給する洗浄装置と、前記回動装置及び該洗浄装置を制御する制御手段とを有する便器設備において、該制御手段は、前記人体検知手段及び着座検知手段の少なくとも一方の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器にサイホン洗浄の破封音が発生するよりも前に便蓋が全閉状態となるように前記回動装置を動作させることを特徴とするものである。
【００１３】
請求項８のトイレ装置は、便蓋及び便座と、該便蓋を開閉駆動する回動装置と、便器前方の人体の有無を検知する人体検知手段と、便座への着座の有無を検知する着座検知手段と、便器に洗浄水を供給する洗浄装置と、前記回動装置及び該洗浄装置を制御する制御手段とを有する便器設備において、該制御手段は、前記人体検知手段及び着座検知手段の少なくとも一方の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該制御手段は、覆蓋洗浄モードにあっては、前記便器でジェット洗浄工程が開始するよりも前に便蓋が全閉状態となるように前記回動装置を動作させることを特徴とするものである。
【００１４】
請求項９のトイレ装置は、便蓋及び便座と、該便蓋を開閉駆動する回動装置と、便器前方の人体の有無を検知する人体検知手段と、便座への着座の有無を検知する着座検知手段と、便器に洗浄水を供給する洗浄装置と、前記回動装置及び該洗浄装置を制御する制御手段とを有する便器設備において、該制御手段は、前記人体検知手段及び着座検知手段の少なくとも一方の検知結果に基づいて自動的に前記洗浄装置を作動させて便器に洗浄水を供給するように構成されており、該制御手段は、該洗浄装置が作動した場合、前記着座検知手段が着座を不検知であり且つ便蓋が開であるときには、洗浄水の供給開始後所定時間が経過してから便蓋閉回動が開始するように前記回動装置を動作させる覆蓋洗浄モードを実行可能であり、該所定時間は２〜４秒の間から選択された時間であることを特徴とするものである。
【００１５】
請求項１０のトイレ装置は、求項１ないし９のいずれか１項において、前記制御手段における前記覆蓋洗浄モードと、便蓋状態に関わらずに洗浄を実行する通常洗浄モードとの設定を切り替える切替手段を備えたことを特徴とするものである。
【発明の効果】
【００１６】
請求項１〜３のトイレ装置によって覆蓋洗浄モードを実行する場合、非着座状態で洗浄スイッチが操作されると、便器洗浄水の供給を開始し、それから所定時間が経過してから便蓋閉回動が開始する。従って、便器洗浄水が流れ始めてから便蓋が閉まるまでの間に、便鉢内を目視観察し、洗浄状態などを確認することができる。これにより、使用者は、便器洗浄水が確実に流れているかどうか分からないといった不安感を抱くことなく、トイレルームから退出することが可能となる。
【００１７】
請求項４〜６のトイレ装置は、便座への着座の有無を検知する着座検知手段の検知結果に基づいて自動的に洗浄装置を作動させて便器に洗浄水を供給するものである。
【００１８】
この場合、例えば、トイレ装置の制御手段は、着座検知手段が便座への着座を検知し、その後、着座不検知となったときに、自動的に洗浄装置を作動させて便器に洗浄水を供給するように構成される。
【００１９】
請求項７〜９のトイレ装置は、便座への着座の有無を検知する着座検知手段と、便器前方の人体の有無を検知する人体検知手段との少なくとも一方の検知結果に基づいて自動的に洗浄装置を作動させて便器に洗浄水を供給するものである。
この場合、例えば、トイレ装置の制御手段は、人体検知手段が便器前方の人体を検知し、その後、人体不検知となったとき、及び着座検知手段が便座への着座を検知し、その後、着座不検知となったときに、それぞれ自動的に洗浄装置を作動させて便器に洗浄水を供給するように構成される。
【００２０】
この請求項４〜９のトイレ装置によって覆蓋洗浄モードを実行する場合、着座不検知の状態で自動的に洗浄装置が作動して便器洗浄水の供給を開始すると、それから所定時間が経過してから便蓋閉回動が開始する。従って、このトイレ装置にあっても、便器洗浄水が流れ始めてから便蓋が閉まるまでの間に、便鉢内を目視観察し、洗浄状態などを確認することができる。これにより、使用者は、便器洗浄水が確実に流れているかどうか分からないといった不安感を抱くことなく、トイレルームから退出することが可能となる。
【００２１】
便器洗浄の後期になると、請求項１，４，７のようにサイホンが破封したり、請求項２，５，８のようにジェット洗浄工程が開始したりすることにより大きな洗浄音が発生するが、そのときには便蓋が閉まっているようにすることにより、大きな洗浄音が便器外に伝わることが防止される。
【００２２】
便器洗浄に際して便鉢内で旋回流を形成させる場合、洗浄水が便鉢内面に沿って静かに流れ、また便鉢内の水面を叩く音も殆ど発生せず、洗浄音は小さい。その後、サイホン洗浄工程が開始すると、大きな洗浄音が発生するようになるが、このサイホン洗浄工程の開始前に便蓋を閉めておくことにより、周囲に大きな洗浄音が伝わることが防止される。
【００２３】
なお、便器のサイホン起動手段の一形態として、トラップ２次側に負圧を与えることにより便鉢からトラップ２次側へ水を吸引するよう構成したものがある。この場合も、負圧を付与する前に便蓋を閉めておくことにより、大きなサイホン洗浄音が周囲に伝わることが防止される。
【００２４】
請求項３，６，９の通り、上記の所定時間を２〜４秒程度とすれば、洗浄初期の便鉢内の様子を十分に観察することができると共に、洗浄後期の大きな洗浄音が発生し始めるまでに十分に便蓋を閉めることができる。
【００２５】
本発明では、請求項１０のように、上記の覆蓋洗浄モードだけでなく、便蓋状態に関わりなく便器洗浄する通常洗浄モードも実行可能とし、両者を選択できるようにしてもよい。
【発明を実施するための最良の形態】
【００２６】
［請求項１〜３の実施の形態］
以下、図面を参照して請求項１〜３の実施の形態について説明する。第１図は請求項１〜３の実施の形態に係るトイレ装置としての洋風便器設備の断面図、第２図（ａ）はこの洋風便器の斜視図、第２図（ｂ）はその電動弁ユニットの正面図、第３図はトイレ装置の制御システムを示すブロック図、第４図は洗浄水の給水及び便蓋の開閉のタイミングチャートである。
【００２７】
陶器製の洋風便器１は、前部に鉢部２を備え、この鉢部２の上部内周にリム３が設けられている。このリム３は、その底面が存在しないオープンタイプのものである。このリム３へはリムノズル４を介して洗浄水が供給される。このリムノズル４は、洋風便器１の正面向って左側にのみ配置されており、所謂「片側給水方式」となっている。このリムノズル４から水がリム３に供給されることにより、鉢面には旋回流が形成される。
【００２８】
鉢部２のトラップ部６には、該トラップ部６にサイホン排出流を誘起するための水（ジェット水）を噴出するジェットノズル５が設けられている。このトラップ部６は、鉢部２の底部から斜め上方に立ち上がる上昇部６ａと、該上昇部６ａに連なり、下方に立ち下がる立下部６ｂと、両者の間の最高位部６ｃとを有している。ジェットノズル５は、上昇部６ａに向って水を噴出させるように設けられている。この立下部６ｂが排水ソケット７を介して排水管８に連なっている。このトラップ構造自体は周知のものである。
【００２９】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０の弁装置２２，２３へ供給可能とされている。
【００３０】
電動弁ユニット２０は、内部に配置された弁装置２２，２３をモータ２１で駆動し、リムノズル給水配管２４又はジェットノズル給水配管２５へ水を給水する。
【００３１】
なお、停電時にも便器を使用できるようにするために、モータ２１の回転軸に手動式の洗浄ハンドル２８が取り付けられている。
【００３２】
この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。
【００３３】
洋風便器１の後部上面に便座ボックス３０が設置されている。この便座ボックス３０に対し便座３１及び便蓋３２が起倒回動しうるように支持されている。便座ボックス３０内には、便座３１及び便蓋３２を回動させるためのモータを有した便蓋・便座回動装置３３が設置されている。便座ボックス３０の前面には、着座検知手段として、便座３１に座った人体を検知するための人体検知センサ（以下、人体センサということがある。）３４が設けられている。この人体センサ３４は、便鉢２の上方側の便蓋回動領域の人体も検知し得るよう検知エリアが設定されている。
【００３４】
これらの弁装置２２，２３用モータ２１及び回動装置３３は、便座ボックス３０内に設置された制御器４０によって制御される。この制御器４０へは、人体センサ３４の検知信号のほか、リモコンに設けられたモード選択スイッチ４１、洗浄スイッチ（フラッシュスイッチ）４２及び便蓋・便座開閉スイッチ４３の各信号が入力され、これらの信号に基づいて電動弁ユニット２０及び便蓋・便座回動装置３３が制御される。
【００３５】
モード選択スイッチ４１は、覆蓋洗浄モードと通常洗浄モードとを切り替えるためのスイッチである。便蓋・便座回動スイッチ４３は、便蓋３２及び便座３１共に開、便蓋３２のみ開、便蓋３２及び便座３１共に閉の３パターンを選択するためのスイッチである。
【００３６】
以下、この便器洗浄装置の作動について説明する。なお、以下、弁装置２２，２３を単に弁２２，２３ということがある。
【００３７】
第４図を参照して便器洗浄パターンについて説明する。
【００３８】
まず、従来と同様の通常洗浄モードを選択しておいた場合のパターンについて第４図（ａ）を参照して説明する。
【００３９】
用便（大便）後に洋風便器１を洗浄すべく洗浄スイッチ４２を操作すると、まず、リム給水用の弁２２が所定時間開弁し、水道水圧によってリム３へ洗浄水が供給され、鉢面に付着した汚れがトラップ部へ洗い落とされる（リム洗浄工程）。この際、洗浄水は鉢面に沿って旋回しながら鉢内に流れ落ち、便鉢２内に旋回流が形成される。
【００４０】
リム３への給水開始から規定時間が経過すると、リム給水用の弁２２が閉弁する。この弁２２の閉弁後、又は閉弁と略同時に、ジェット給水用の弁２３が所定時間開弁し、ジェットノズル５から水が噴出してトラップ部にサイホンが誘起され、汚水が排水管へ排出される（サイホン洗浄工程）。その後、弁２３が閉弁し、再度リム給水用の弁２２が所定時間開弁し、トラップ水が貯溜される。
【００４１】
この一連の洗浄工程において、便蓋３２は、便蓋・便座開閉スイッチ４３で選択された状態となっており、開いたままとなっているか、又は閉まったままとなっている。
【００４２】
次に、覆蓋洗浄モードを選択した場合の動作パターンについて説明する。
【００４３】
洗浄スイッチ４２を押したときに人体検知センサ３４が人体を検知している場合は、上記第４図（ａ）の通常洗浄モードの通りのパターンに従って便器洗浄が行われる。なお、この場合、当然ながら便蓋３２は開となっている。
【００４４】
洗浄スイッチ４２を押したときに人体検知センサ３４が人体を検知していないときは、第４図（ｂ）に従った動作が実行される。即ち、まずリム給水用の弁２２が所定時間開弁し、水道水圧によってリム３へ洗浄水が供給され、鉢面に付着した汚れがトラップ部へ洗い落とされる。
【００４５】
リム３への給水開始から所定時間ｔ（例えば２〜４秒）が経過すると、便蓋・便座回動装置３３が便蓋３２を閉じ始め、リム給水用の弁２２の閉弁前に便蓋３２が全閉状態となる。その後、弁２２が閉弁する。この弁２２の閉弁後、又は閉弁と略同時に、ジェット給水用の弁２３が所定時間開弁し、ジェットノズル５から水が噴出してトラップ部にサイホンが誘起され、汚水が排水管へ排出される（サイホン洗浄工程）。その後、弁２３が閉弁し、再度リム給水用の弁２２が所定時間開弁し、トラップ水が貯溜される。
【００４６】
このように、使用者が立ち上がった状態で便器洗浄スイッチ４２を押したときには、リム洗浄工程の初期に便蓋３２が開いているので、便器洗浄が異常なく行われているか目視観察することができる。その後、便蓋３２が閉まった後、ジェット洗浄工程が開始する。このジェット洗浄工程においては、サイホンが破封し、便鉢２からトラップ６へ空気が吸い込まれ、ゴーあるいはゴボゴボといった比較的大きな音が発生するが、便蓋３２が閉まっているので、この音が周囲に伝わることが防止（抑制を含む。）される。
【００４７】
なお、この実施の形態では、リム洗浄時には便鉢２内で旋回流が形成される。この旋回流では、水が鉢面に沿って静かに流れるので、洗浄音は極めて小さい。従って、便蓋３２が開いていても、周囲に伝わる音は小さい。
【００４８】
［別の実施の形態］
上記実施の形態は、サイホン誘起手段としてジェットノズル５を採用しているが、第５図はジェットノズル５の代りにトラップ２次側に負圧を与えてサイホンを誘起させるよう構成した実施の形態を示している。なお、本発明において、トラップ２次側とは、便鉢２に連なる上昇部６ａよりも下流側のゾーンを示すものである。
【００４９】
この第５図の実施の形態では、便器１Ａの便鉢２の下部に第１トラップ６が設けられている。この第１トラップ６の立下部６ｂは第２トラップ６０と連通している。第２トラップ６０は、立下部６ｂの管壁下部の最低位部６１の下側を回り込み、次いで溢出用の最高位部６２を経て排水管８に到るＵ字状流路よりなる。この第２トラップ６０の該最高位部６２の高さＷは、該最低位部６１よりも若干高位となっている。
【００５０】
第１トラップ６内の最高位部６ｃよりも上方のスペースから空気を吸引排出するように、第１トラップ６の上部に、配管５０を介して負圧付与装置が接続されている。
【００５１】
この負圧付与装置は、内部がダイアフラム５１ａによって下室と上室とに区画されたタンク５１と、該タンク５１の上室に配管５２を介して接続されたポンプ５３とを有している。前記配管５０は、タンク５１の下室に接続されている。ポンプ５３は前記制御器４０によって制御される。
【００５２】
ポンプ５３は、ピストン・シリンダ式のものであり、ピストンをストロークさせることにより、タンク５１の上室から空気を吸引したり、逆に該上室に空気を戻すように作動する。ポンプ５３によって上室から空気を吸引すると、ダイアフラム５１ａが持ち上げられ、第１トラップ６内の上部から空気がタンク５１の該下室に吸引排出される。
【００５３】
上記の通り、第２トラップ６０の最高位部６２の高さＷは最低位部６１よりも高位となっている。従って、第２トラップ６０に水がＷのレベルにまで存在していると、該最低位部６１はレベルＷの封水中に没することになる。このため、この状態では、立下部６ｂは、第１トラップ６の封水と第２トラップ６０の封水とによって大気と遮断された密閉空間となっている。
【００５４】
このように両トラップ６，６０が封水で封隔された状態で、第１トラップ６内に溜っていた空気がタンク５１へ吸い出されると、最高位部６ｃよりも上側のスペースを含めて第１トラップ６内がほぼ満水状態となる。そして、この水が立下部６ｂを流下することにより、第１トラップ６にサイホンが形成される。
【００５５】
なお、便器洗浄に際してリム３への給水が開始すると、第１トラップ６内の水が最高位部６ｃをオーバーフローして第２トラップ６０内に流れ落ちるので、第２トラップ６０にはＷのレベルにまで水が存在することになる。
【００５６】
この実施の形態では、リムノズル４に水電磁弁４５を介して洗浄水が供給可能とされており、この水電磁弁４５は制御器４０（第５図では図示略）によって制御される。その他の構成は、電動弁ユニット２０が省略されていると共に、前記の通りジェットノズル５が省略されていること以外は上記実施の形態と同一である。
【００５７】
第６図を参照して、この第５図の便器の覆蓋洗浄モードでの洗浄パターンについて説明する。
【００５８】
用便（大便）後に洋風便器１を洗浄すべく洗浄スイッチ４２を操作すると、まず、リム給水用の水電磁弁４５が所定時間開弁し、水道水圧によってリム３へ洗浄水が供給され、鉢面に付着した汚れがトラップ部へ洗い落とされる（リム洗浄工程）。この際、洗浄水は鉢面に沿って旋回しながら鉢内に流れ落ち、便鉢２内に旋回流が形成される。
【００５９】
リム３への給水開始から所定時間（例えば２〜４秒）経過すると、便蓋・便座回動装置３３が便蓋３２を閉じ始め、ポンプ５３の起動前に便蓋３２が全閉状態となる。その後、ポンプ５３が起動し、その後、水電磁弁４５が閉弁する。ポンプ５３が起動すると、タンク５１から第１トラップ６の２次側に負圧が作用し、上昇部６ａ内の水が上方へ引き上げられてトラップ部にサイホンが誘起され、汚水が排水管８へ排出される（サイホン洗浄工程）。
【００６０】
このサイホン洗浄の途中で、リム給水用の水電磁弁４５が閉弁し、その後、ポンプ５３が停止する。これにより、サイホン排出流が停止する。なお、サイホンが形成されている間は、第１トラップ６内は、ほぼ満水状態となっていたため、サイホン停止に伴って、第１トラップ６内の水の一部が上昇部６ａ側に戻る。また、水電磁弁４５を閉めても、水電磁弁４５よりも下流側の水路の残水が便鉢２内へ供給され続ける。これらの水により、便鉢２の底部に溜水が形成される。
【００６１】
このように、この第６図のトイレ装置でも、覆蓋洗浄モードを選択した場合、リム３への給水開始から所定時間（例えば２〜４秒）経過すると、便蓋・便座回動装置３３が便蓋３２を閉じ始め、ポンプ５３の起動前に便蓋３２が全閉状態となる。その後、タンク５１に第１トラップ６の空気が吸い出されて第１トラップ６にサイホンが誘起され、汚水が排水管へ排出される（サイホン洗浄工程）。
【００６２】
このため、使用者が立ち上がった状態で便器洗浄スイッチ４２を押したときには、リム洗浄工程の初期に便蓋３２が開いているので、便器洗浄が異常なく行われているか目視観察することができる。その後、便蓋３２が閉まった後、タンク５１からの負圧に誘引されてサイホン洗浄工程が開始する。このサイホン洗浄工程において便蓋３２が閉まっているので、比較的大きな洗浄音であっても、周囲に伝わることが防止される。
【００６３】
なお、この実施の形態でも、リム洗浄時には便鉢２内で旋回流が形成され、静かに洗浄が行なわれる。また、この実施の形態でも、通常洗浄モードを選択した場合には、上記の洗浄工程において、便蓋３２は、便蓋・便座開閉スイッチ４３で選択された通り、開いたままとなっているか、又は閉まったままとなっている。
【００６４】
［洗浄工程の継続時間］
起立状態の便蓋３２が閉まり始めてから全閉（倒状）となるまでの時間は、通常は５〜８秒程度である。このように、便蓋３２の閉止に時間を要するところから、第４図（ｂ）及び第６図の覆蓋洗浄モードでは、リム洗浄工程の継続時間を、この閉止時間と、洗浄スイッチが押されてから閉止開始までの所定時間との合計よりも長くし、ジェット水噴出前又は負圧付与装置のポンプ５３の起動前に便蓋３２を全閉とし、サイホン洗浄工程の開始前に確実に便蓋３２を全閉とする。
【００６５】
第４図の場合、ジェット水の噴出継続時間は３〜５秒程度が好適である。
【００６６】
第６図の場合、ポンプ５３の作動継続時間は１０〜１２秒程度が好適である。また、ポンプ５３が起動してから水電磁弁４５が閉となるまでの時間は３〜５秒程度が好適である。
【００６７】
［請求項４〜６のトイレ装置について］
請求項４〜６のトイレ装置は、便座への着座の有無を検知する着座検知手段の検知結果に基づいて自動的に洗浄装置を作動させて便器に洗浄水を供給するものである。
【００６８】
この着座検知手段としては、前述の第１〜４図及び第５，６図の各実施の形態における人体センサ３４が好適である。ただし、着座検知手段はこの人体センサ３４に限定されない。
【００６９】
この請求項４〜６の自動洗浄機能付きトイレ装置は、前述の第１〜４図及び第５，６図の各実施の形態において、それぞれ、制御器４０を、人体センサ３４が便座３１への着座を検知し、その後、着座不検知となったときに、自動的に電動弁ユニット２０のリム給水用の弁装置２２（第１〜４図の実施の形態）又は水電磁弁４５（第５，６図の実施の形態）を開弁させてリムノズル４からリム３に便器洗浄水を供給するように構成することにより実現される。
【００７０】
なお、この請求項４〜６のトイレ装置においても、手動式洗浄ハンドル２８や、リモコン式洗浄スイッチ４２が設けられていてもよい。
【００７１】
第１〜４図及び第５，６図の各トイレ装置を請求項４〜６の自動洗浄機能付きトイレ装置とした場合のその他の構成は、それぞれ第１〜４図及び第５，６図の各トイレ装置と同様であり、その詳細については図示及び説明を省略する。
【００７２】
この請求項４〜６のトイレ装置における便器洗浄パターンは、用便後に使用者が便座３１から立ち上がり、便座３１への着座が不検知となると、制御器４０が自動的にリム給水用の弁装置２２（第１〜４図のトイレ装置を請求項４〜６の自動洗浄機能付きトイレ装置とした場合）又は水電磁弁４５（第５，６図のトイレ装置を請求項４〜６の自動洗浄機能付きトイレ装置とした場合）を所定時間開弁させること以外は、第１〜４図及び第５，６図の各トイレ装置と同様である。
【００７３】
即ち、第１〜４図のトイレ装置を請求項４〜６の自動洗浄機能付きトイレ装置として構成した場合の覆蓋洗浄モードにおける洗浄パターンは、以下の通りである。
【００７４】
用便後に使用者が便座３１から立ち上がり、便座３１への着座が不検知となり、所定時間経過後、自動的にリム給水用の弁２２が所定時間開弁し、水道水圧によってリム３へ洗浄水が供給され、鉢面に付着した汚れがトラップ部へ洗い落とされる（リム洗浄工程）。
【００７５】
リム３への給水開始から所定時間ｔ（例えば２〜４秒）が経過すると、便蓋・便座回動装置３３が便蓋３２を閉じ始め、リム給水用の弁２２の閉弁前に便蓋３２が全閉状態となる。その後、弁２２が閉弁する。この弁２２の閉弁後、又は閉弁と略同時に、ジェット給水用の弁２３が所定時間開弁し、ジェットノズル５から水が噴出してトラップ部にサイホンが誘起され、汚水が排水管へ排出される（サイホン洗浄工程）。その後、弁２３が閉弁し、再度リム給水用の弁２２が所定時間開弁し、トラップ水が貯溜される。
【００７６】
また、第５，６図のトイレ装置を請求項４〜６の自動洗浄機能付きトイレ装置として構成した場合の覆蓋洗浄モードにおける洗浄パターンは、以下の通りである。
【００７７】
用便後に使用者が便座３１から立ち上がり、便座３１への着座が不検知となり、所定時間経過後、自動的にリム給水用の水電磁弁４５が所定時間開弁し、水道水圧によってリム３へ洗浄水が供給され、鉢面に付着した汚れがトラップ部へ洗い落とされる（リム洗浄工程）。
【００７８】
リム３への給水開始から所定時間（例えば２〜４秒）経過すると、便蓋・便座回動装置３３が便蓋３２を閉じ始め、ポンプ５３の起動前に便蓋３２が全閉状態となる。その後、ポンプ５３が起動し、その後、水電磁弁４５が閉弁する。ポンプ５３が起動すると、タンク５１から第１トラップ６の２次側に負圧が作用し、上昇部６ａ内の水が上方へ引き上げられてトラップ部にサイホンが誘起され、汚水が排水管８へ排出される（サイホン洗浄工程）。
【００７９】
このサイホン洗浄の途中で、リム給水用の水電磁弁４５が閉弁し、その後、ポンプ５３が停止する。これにより、サイホン排出流が停止する。なお、サイホンが形成されている間は、第１トラップ６内は、ほぼ満水状態となっていたため、サイホン停止に伴って、第１トラップ６内の水の一部が上昇部６ａ側に戻る。また、水電磁弁４５を閉めても、水電磁弁４５よりも下流側の水路の残水が便鉢２内へ供給され続ける。これらの水により、便鉢２の底部に溜水が形成される。
【００８０】
以上の通り、この請求項４〜６のトイレ装置にあっても、使用者が便座３１から立ち上がり、リム給水用の弁装置２２又は水電磁弁４５が自動的に開弁してリム洗浄工程が開始した初期の段階では、便蓋３２が開いているので、便器洗浄が異常なく行われているか目視観察することができる。その後、便蓋３２が閉まった後、ジェット洗浄工程又はサイホン洗浄工程が開始する。このジェット洗浄工程又はサイホン洗浄工程において便蓋３２が閉まっているので、比較的大きな洗浄音であっても、周囲に伝わることが防止される。
【００８１】
なお、この請求項４〜６のトイレ装置においても、通常洗浄モードを選択した場合には、上記の洗浄工程において、便蓋３２は、便蓋・便座開閉スイッチ４３で選択された通り、開いたままとなっているか、又は閉まったままとなっている。
【００８２】
［請求項７〜９のトイレ装置について］
本発明においては、この請求項４〜６のトイレ装置に、さらに、便器前方の人体を検知する人体検知手段を設け、この人体検知手段と着座検知手段（人体センサ３４）との少なくとも一方の検知結果に基づいて自動的に洗浄装置を作動させて便器に洗浄水を供給するように構成してもよい（請求項７〜９）。
【００８３】
この場合、例えば、着座検知手段としての人体センサ３４とは別に、便器前方の人体を検知する人体検知手段としての人体センサ（図示略）を設けてもよく、また、人体センサ３４の検知エリアを便鉢２の上方側の便蓋回動領域だけでなく便鉢２の前方にも設定することにより、この人体センサ３４によって便座３１への着座の有無と便器前方の人体の有無の双方を検知し得るよう構成してもよい。なお、人体検知手段の構成はこれに限定されない。
【００８４】
この請求項７〜９のトイレ装置においては、制御器４０は、人体検知手段としての人体センサが便器前方の人体を検知し、その後、人体不検知となったとき、及び着座検知センサとしての人体センサ３４が便座３１への着座を検知し、その後、着座不検知となったときに、それぞれ、自動的に電動弁ユニット２０のリム給水用の弁装置２２（第１〜４図のトイレ装置を請求項７〜９の自動洗浄機能付きトイレ装置とした場合）又は水電磁弁４５（第５，６図のトイレ装置を請求項７〜９の自動洗浄機能付きトイレ装置とした場合）を開弁させてリムノズル４からリム３に便器洗浄水を供給するように構成される。
【００８５】
この請求項７〜９のトイレ装置のその他の構成及び各洗浄モードにおける洗浄パターンは、前述の請求項４〜６のトイレ装置と同様である。
【００８６】
この請求項７〜９のトイレ装置にあっては、使用者が便座３１に着座して用を足すときだけでなく、使用者が便器１の前方に立って用を足す男子小用時においても、覆蓋洗浄モードを実行可能である。
【００８７】
即ち、男子小用時に便器１の前方に使用者が立つと、人体検知手段としての人体センサがこの使用者を検知し、用便後に使用者が便器１から離れると、この人体検知手段としての人体センサが人体不検知となり、それから所定時間経過後、自動的にリム給水用の弁装置２２又は水電磁弁４５が所定時間開弁し、リム３へ洗浄水が供給され、鉢面に付着した汚れがトラップ部へ洗い落とされる（リム洗浄工程）。そして、このリム３への給水開始から所定時間（例えば２〜４秒）経過すると、便蓋・便座回動装置３３が便蓋３２を閉じ始める。その後、便蓋３２が全閉状態となった後、ジェット洗浄工程又はサイホン洗浄工程が開始する。
【００８８】
このように、この請求項７〜９のトイレ装置にあっては、男子小用時においても、用便後に使用者が便器１から離れ、リム給水用の弁装置２２又は水電磁弁４５が自動的に開弁してリム洗浄工程が開始した初期の段階では、便蓋３２が開いているので、便器洗浄が異常なく行われているか目視観察することができる。その後、便蓋３２が閉まった後、ジェット洗浄工程又はサイホン洗浄工程が開始する。このジェット洗浄工程又はサイホン洗浄工程において便蓋３２が閉まっているので、比較的大きな洗浄音であっても、周囲に伝わることが防止される。
【００８９】
上記の各実施の形態はいずれも本発明の一例であり、本発明は図示の構成に限定されない。
【図面の簡単な説明】
【００９０】
【図１】実施の形態に係るトイレ装置を備えた洋風便器の断面図である。
【図２】（ａ）図は実施の形態に係る便器洗浄装置を備えた洋風便器設備の斜視図、（ｂ）図はその電動弁ユニットの構成図である。
【図３】図１のトイレ装置の制御システムのブロック図である。
【図４】図１の実施の形態における便器洗浄及び便蓋回動を示すタイミングチャートである。
【図５】別の実施の形態に係るトイレ装置を備えた洋風便器の断面図である。
【図６】図５の実施の形態における便器洗浄及び便蓋回動を示すタイミングチャートである。
【符号の説明】
【００９１】
１，１Ａ  洋風便器
２  鉢部
３  リム
４  リムノズル
５  ジェットノズル
６  トラップ（第１トラップ）
８  排水管
１２  ストレーナ
２０  電動弁ユニット
２２，２３  弁装置
４５  水電磁弁
５１  タンク
５３  ポンプ
６０  第２トラップ
【図１】
0005446113.tif 000002
【図２】
0005446113.tif 000003
【図３】
0005446113.tif 000004
【図４】
0005446113.tif 000005
【図５】
0005446113.tif 000006
【図６】
0005446113.tif 000007